(57)【要約】【構成】座部の下方に便器挿入空間を設け、この便器挿入空間に前記フレーム本体の後方から便器が挿入可能とした介護者用車椅子である。  前記座部は、前記フレーム本体に固定され便孔の形成された基板と、この基板の上面に設置され前記便孔の両側にそれぞれ配置された一対の固定板部材と、前記基板の上面にスライド可能に配置され前記一対の固定板部材の間に配置されたスライド板部材とから構成され、前記スライド板部材は前記フレーム本体の前後方向にスライドして前記基板における便孔を露出させたり、覆ったりできる。【効果】  重心を殆ど移動することなく車椅子を排便可能状態にできるため、被介護者（車椅子の使用者）にとって排便行為がしやすいものである。【選択図】    図３
0003137653.tif 000002
【実用新案登録請求の範囲】
【請求項１】
フレーム本体に座部と足載せ部と肘掛け部と背もたれ部とを設け、前記座部の前方に足載せ部、同両側に肘掛け部、同後方に背もたれ部を配置するとともに前記フレーム本体の前部と後部の左右に車輪を設置し、前記座部の下方に便器挿入空間を設け、この便器挿入空間に前記フレーム本体の後方から便器が挿入可能とした介護者用車椅子において、前記座部は、前記フレーム本体に固定され便孔の形成された基板と、この基板の上面に設置され前記便孔の両側にそれぞれ配置された一対の固定板部材と、前記基板の上面にスライド可能に配置され前記一対の固定板部材の間に配置されたスライド板部材とから構成され、前記スライド板部材は前記フレーム本体の前後方向にスライドして前記基板における便孔を露出させたり、覆ったりすることを特徴とする介護用車椅子。
【請求項２】
前記スライド板部材は前記座部における前記背もたれ部の下方に押圧可能な状態で露出していることを特徴とする請求項１の介護用車椅子。
【請求項３】
前記肘掛け部は前記フレーム本体の外側に折り畳み可能であることを特徴とする請求項１の介護用車椅子。
【請求項４】
前記肘掛け部の前部上面に天板が掛け渡された状態で設置されているとともにこの天板は前記肘掛け部に固定されている固定板部とこの固定部の前端縁に折り畳み自在に連設された補助板部とから構成されることを特徴とする介護用車椅子。
【請求項５】
前記フレーム本体は一対のサイドフレームを略平行に配置するとともにこれらを連結部材で連結し、且つ、前記サイドフレームは一本の弾性材を折り曲げることによって車輪支持部と座部支持部とこれらをそれぞれの前端部で連設する連設部とを一体的に形成したことを特徴とする介護用車椅子。
【考案の詳細な説明】
【技術分野】
【０００１】
この考案は介護用車椅子であり、車椅子を利用している被介護者がそのままの状態でトイレへ移動し、便器の上に車椅子を配置して排便する際に使用されるものである。
【背景技術】
【０００２】
従来におけるこの種の介護用車椅子はフレーム本体に座部を設置するとともにこの座部を前側の固定部と後側の折り畳み部とから構成したものであり、被介護者（車椅子の使用者）はこの固定部に腰を一時的に降ろし、前記折り畳み部を後方（背もたれ側へ）へ折り畳むことによってフレーム本体の下方に連通する空間を形成し、この空間を介して便器の便座に直接腰を降ろすものであった。
【０００３】
【特許文献１】実用新案登録第３０９６６０４号公報
【考案の開示】
【考案が解決しようとする課題】
【０００４】
しかしながら、かかる従来の介護用車椅子においては、被介護者（車椅子の使用者）にとって前記固定部に腰を一時的に降ろすことは重心が前方に移動して不安定となるため、前記折り畳み部の後方への折り畳み作業に手間がかかる結果、排便行為がしにくいという不都合を有した。
【０００５】
この考案の課題はこれらの不都合を解消することである。
【課題を解決するための手段】
【０００６】
上記課題を達成するために、介護用車椅子においては、フレーム本体に座部と足載せ部と肘掛け部と背もたれ部とを設け、前記座部の前方に足載せ部、同両側に肘掛け部、同後方に背もたれ部を配置するとともに前記フレーム本体の前部と後部の左右に車輪を設置し、前記座部の下方に便器挿入空間を設け、この便器挿入空間に前記フレーム本体の後方から便器が挿入可能とした介護者用車椅子において、前記座部は、前記フレーム本体に固定され便孔の形成された基板と、この基板の上面に設置され前記便孔の両側にそれぞれ配置された一対の固定板部材と、前記基板の上面にスライド可能に配置され前記一対の固定板部材の間に配置されたスライド板部材とから構成され、前記スライド板部材は前記フレーム本体の前後方向にスライドして前記基板における便孔を露出させたり、覆ったりするものである。
【０００７】
また、前記スライド板部材は前記座部における前記背もたれ部の下方に押圧可能な状態で露出させることもできる。
【０００８】
また、前記肘掛け部は前記フレーム本体の外側に折り畳み可能にすることもできる。
【０００９】
また、前記肘掛け部の前部上面に天板が掛け渡された状態で設置されているとともにこの天板は前記肘掛け部に固定されている固定板部とこの固定部の前端縁に折り畳み自在に連設された補助板部とから構成することもできる。
【００１０】
また、前記フレーム本体は一対のサイドフレームを略平行に配置するとともにこれらを連結部材で連結し、且つ、前記サイドフレームは一本の弾性材を折り曲げることによって車輪支持部と座部支持部とこれらをそれぞれの前端部で連設する連設部とを一体的に形成することもできる。
【考案の効果】
【００１１】
この考案に係る介護用車椅子は上記のように構成されているため、即ち、介護用車椅子においては、フレーム本体に座部と足載せ部と肘掛け部と背もたれ部とを設け、前記座部の前方に足載せ部、同両側に肘掛け部、同後方に背もたれ部を配置するとともに前記フレーム本体の前部と後部の左右に車輪を設置し、前記座部の下方に便器挿入空間を設け、この便器挿入空間に前記フレーム本体の後方から便器が挿入可能とした介護者用車椅子において、前記座部は、前記フレーム本体に固定され便孔の形成された基板と、この基板の上面に設置され前記便孔の両側にそれぞれ配置された一対の固定板部材と、前記基板の上面にスライド可能に配置され前記一対の固定板部材の間に配置されたスライド板部材とから構成され、前記スライド板部材は前記フレーム本体の前後方向にスライドして前記基板における便孔を露出させたり、覆ったりするものであるため、
使用者は車椅子に座ったまま、便器の前に位置し、そのまま後進して座部が便器の上方に位置した場所で車椅子を停止する。そして、体を片側に傾け腰を浮かして下着をずらす際に、前記スライド板部材を前方に引出し、基板の便孔を露出させる。このとき、基板の便孔は前記便器の便座の中央孔に略一致している。排便後は下着を戻す際に、前記スライド板部材を元の状態に戻せば、通常の車椅子の状態となり、そのまま前進して便器の位置から移動することができる。
【００１２】
よって、この介護用車椅子を使用すれば、重心を殆ど移動することなく車椅子を排便可能状態にできるため、被介護者（車椅子の使用者）にとって排便行為がしやすいものである。
【００１３】
また、前記スライド板部材は前記座部における前記背もたれ部の下方に押圧可能な状態で露出にすれば、前記スライド板部材を後方から押し出すこともできるため、車椅子を押している介護者が当該車椅子を排便可能状態にさせることもできる。
【００１４】
また、前記肘掛け部は前記フレーム本体の外側に折り畳み可能にすれば、この肘掛け部を外側に折り畳むことによって、使用者における座部の両側に障害物が無くなり、この結果、下着および車椅子の状態を、車椅子として使用している状態から排便可能状態にしたり、下に戻したりする作業がしやすいものである。
【００１５】
また、前記肘掛け部の前部上面に天板が掛け渡された状態で設置されているとともにこの天板は前記肘掛け部に固定されている固定板部とこの固定部の前端縁に折り畳み自在に連設された補助板部とから構成すれば、前記天板を、状況に併せて広くしたり狭くしたりして使用することができる。
【００１６】
また、前記フレーム本体は一対のサイドフレームを略平行に配置するとともにこれらを連結部材で連結し、且つ、前記サイドフレームは一本の弾性材を折り曲げることによって車輪支持部と座部支持部とこれらをそれぞれの前端部で連設する連設部とを一体的に形成すれば、座部支持部が車輪支持部に対して片持ち梁の状態となるため、上下方向に弾力性に富み、この結果、使用者は座部に快適に座ることができるものである。
【考案を実施するための最良の形態】
【００１７】
フレーム本体に座部と足載せ部と肘掛け部と背もたれ部とを設ける。前記座部の前方に足載せ部、同両側に肘掛け部、同後方に背もたれ部を配置する。前記フレーム本体の前部と後部の左右に車輪を設置する。前記座部の下方に便器挿入空間を設ける。この便器挿入空間に前記フレーム本体の後方から便器が挿入可能とする。前記座部は、前記フレーム本体に固定され便孔の形成された基板と、この基板の上面に設置され前記便孔の両側にそれぞれ配置された一対の固定クッション部材と、前記基板の上面にスライド可能に配置され前記一対のクッション部材の間に配置されたスライドクッション部材とから構成される。前記スライドクッション部材は前記フレーム本体の前後方向にスライドして前記基板における便孔を露出させたり、覆ったりする。
【実施例１】
【００１８】
以下、図面に基づいてこの考案の実施例を説明する。
【００１９】
図１はこの考案に係る介護用車椅子の斜視図、図２は図におけるII矢視の部分図、図３はスライドクッション部材を前方向にスライドした状態の斜視図、図４はスライドクッション部材を取り外した状態の斜視図、図５はスライドクッション部材の裏側の斜視図、図６は肘掛け部を外側に折り畳んだ状態の斜視図、図７は天板を開いた状態の斜視図である。
【００２０】
図１において、Ｍはこの考案に係る介護用車椅子、１はこの車椅子Ｍのフレーム本体である。このフレーム本体１は一対のサイドフレーム10,10 を略平行に配置した状態で連結部材11によって繋がれている。また、このサイドフレーム10は、一本の金属棒（鉄棒，アルミニウム棒等の弾性材）を折り曲げることによって車輪支持部12と座部支持部13とこれらをそれぞれの前端部で連設する連設部14と前記車輪支持部12の前方に延びる足載せ支持部15と前記座部支持部13の後方に延びる背もたれ支持部16とを一体的に形成している。
【００２１】
次に、20,20 は後輪であり、前記サイドフレーム（フレーム本体１）10,10 における車輪支持部12,12 に軸支されている。また、21,21 は前輪キャーターであり、同足載せ支持部15,15 に軸支されている。
【００２２】
30は座部であり、前記サイドフレーム（フレーム本体１）10,10 における座部支持部13,13 に掛け渡された状態で設置されている。この座部30の下方には便器挿入空間Ｓが形成されている。
【００２３】
40は背もたれシート（この考案の「背もたれ部」に相当する）部であり、前記サイドフレーム（フレーム本体１）10,10 における背もたれ支持部16,16 の間に張設されている。41,41 は把手であり、前記背もたれ支持部16,16 の上端を後方に延ばすことにより形成されている。なお、43,43 は係止具であり、前記背もたれ支持部16,16 に揺動可能に設置されている。
【００２４】
また、50は肘掛け部でり、前記サイドフレーム（フレーム本体１）10,10 における座部支持部13,13 にヒンジ51,51 を介して外側に折り畳み可能な状態で設置されている。外側に折り畳んだ場合には図６に示した状態となる。なお、この肘掛け部50,50 は係止突起52,52 に、前記係止具43,43 を掛け止めすることによって通常の状態（図１の状態）を維持する。
【００２５】
60,60 は足載せ部であり、前記サイドフレーム（フレーム本体１）10,10 における足載せ支持部15,15 に設置されている。この足載せ部60,60 は使用者が足を載せる部分であり、水平方向と垂直方向との間をスイングすることができる。
【００２６】
なお、61はカバーシートであり、前記前記サイドフレーム（フレーム本体１）10,10 における連設部14,14 の間の間に張設されている。
【００２７】
53は天板であり、前記肘掛け部50,50 の前部上面に掛け渡された状態でネジ止めされている。この天板53は前記肘掛け部50,50 に固定されている固定部54とこの固定部54の前端縁にヒンジ部55,55 を介して折り畳み自在に連設された補助板部56とから構成されている。この補助板部56は通常の状態では手前に折り畳んで使用されるが（図１の状態を参照のこと）、天板53を広くして使用したい場合には、図７に示すように前側に開いて使用される。
【００２８】
次に、図１〜図５に基づいて、前記座部30について詳述する。
【００２９】
31は前記座部30の基板であり、その両端縁は前記サイドフレーム（フレーム本体１）10,10 における座部支持部13,13 に固定されている。32は便孔であり、前記基板の形成されている。この便孔32は前後方向（車椅子の）に長径を有する長孔をしている。また、排泄物が後記便器Ｂの便座に付着しないように、この便座の中央孔よりも僅かに小さめにしてある。33は切り欠きであり、前記基板31の前端縁に形成されている（図４を参照のこと）。この切り欠き33の機能は後記する。
【００３０】
次に、70は固定板であり、前記基板の上面に貼着されている。この固定板90には前端縁に開放しているＵ字切り欠き71を有している。このＵ字切り欠き71は奥側は前記基板31の便孔32に一致している。また、前側は略平行状態で前端縁に開放している（図４を参照のこと）。なお、この固定板70における前記Ｕ字切り欠き71の両側が、考案の「一対の固定板部材」にそうとする。また、この固定板70は前記基板31に一体成形することもできる。
【００３１】
80はスライド板（この考案の「スライド板部材」に相当する）であり、前記基板31の上面をスライドしながら、前記固定板70のＵ字切り欠き71に着脱可能な状態で略隙間なく嵌挿している（図３，４を参照のこと）。このスライド板80の前部裏側には、凹部81が形成されている（図２，５を参照のこと）。前記スライド板80を前記固定板70のＵ字切り欠き71に嵌挿したときに、この凹部81は前記切り欠き（基板31の）33から露出しているいるため、使用者はこの前記切り欠き33に手を掛けて、前記前記スライド板80の進退を操作できる。
【００３２】
90,90 は固定クッション部材であり、前記固定板70における前記Ｕ字切り欠き71の両側に少し退いた状態で貼着されている。また、91はスライドクッション部材であり、前記スライド板80上面に前記Ｕ字切り欠き71の両側よりも突出した状態で貼着され、奥端まで延びている。この固定クッション部材90,90 とスライドクッション部材90との上面は略面一なので使用者は座ったときには違和感は発生しない。また、固定クッション部材90,90 の上面における内側の側端縁はカーブ状に滑らかに面取りがされているため、スライド板80を引き抜いて、便器を使用する際に、使用者にとって座り心地に違和感は発生しない。
【００３３】
このように構成される介護用車椅子を使用する場合には、使用車は、車椅子Ｍに座ったまま、便器Ｂの前に位置し、そのまま後進して座部30が便器Ｂの上方に位置した場所で車椅子Ｍを停止する（図１の状態となる）。そして、体を片側に傾け腰を浮かして下着をずらす際に、前記スライド板80の凹部81に手をかけ、前方に引出す。そして基板31の便孔32を露出させ、排便行為をする。排便後は下着を戻す際に、前記スライド板80を元の状態に戻せば、通常の車椅子の状態となり、そのまま前進して便器Ｂの位置から移動することができる。
【産業上の利用可能性】
【００３４】
この介護用車椅子を使用すれば、重心を殆ど移動することなく車椅子を排便可能状態にできるため、被介護者（車椅子の使用者）にとって排便行為がしやすいものである。被介護者の日常生活への利用可能性は極めて高いものである。
【図面の簡単な説明】
【００３５】
【図１】図１はこの考案に係る介護用車椅子の斜視図である。
【図２】図２は図におけるII矢視の部分図である。
【図３】図３はスライドクッション部材を前方向にスライドした状態の斜視図であ    る。
【図４】図４はスライドクッション部材を取り外した状態の斜視図である。
【図５】図５はスライドクッション部材の裏側の斜視図である。
【図６】図６は肘掛け部を外側に折り畳んだ状態の斜視図である。
【図７】図７は天板を開いた状態の斜視図である。
【符号の説明】
【００３６】
Ｍ  …  介護用車椅子
Ｓ  …  便器挿入空間
１  …  フレーム本体
10  …  サイドフレーム
11  …  連結部材
12  …  車輪支持部
13  …  座部支持部
14  …  連設部
15  …  足載せ支持部
16  …  背もたれ支持部
20  …  後輪
21  …  前輪キャーター
30  …  座部
31  …  基板
32  …  便孔
33  …  切り欠き
40  …  背もたれシート（背もたれ部）
41  …  把手
43  …  係止具
50  …  肘掛け部
51  …  ヒンジ
52  …  係止突起
53  …  天板
54  …  固定部（天板の）
55  …  ヒンジ部
56  …  補助板部
60  …  足載せ部
61  …  カバーシート
70  …  固定板
71  …  Ｕ字切り欠き
80  …  スライド板（スライド板部材）
81  …  凹部
90  …  固定クッション部材
91  …  スライドクッション部材
【図１】
0003137653.tif 000003
【図２】
0003137653.tif 000004
【図３】
0003137653.tif 000005
【図４】
0003137653.tif 000006
【図５】
0003137653.tif 000007
【図６】
0003137653.tif 000008
【図７】
0003137653.tif 000009
【手続補正書】
【提出日】平成19年10月9日(2007.10.9)
【手続補正１】
【補正対象書類名】実用新案登録請求の範囲
【補正対象項目名】全文
【補正方法】変更
【補正の内容】
【実用新案登録請求の範囲】
【請求項１】
フレーム本体に座部と足載せ部と肘掛け部と背もたれ部とを設け、前記座部の前方に足載せ部、同両側に肘掛け部、同後方に背もたれ部を配置するとともに前記フレーム本体の前部と後部の左右に車輪を設置し、前記座部の下方に便器挿入空間を設け、この便器挿入空間に前記フレーム本体の後方から便器が挿入可能とした介護者用車椅子において、前記座部は、前記フレーム本体に固定され便孔の形成された基板と、この基板の上面に設置され前記便孔の両側にそれぞれ配置された一対の固定板部材と、前記基板の上面にスライド可能に配置され前記一対の固定板部材の間に配置されたスライド板部材とから構成され、前記スライド板部材は前記フレーム本体の前後方向にスライドして前記基板における便孔を露出させたり、覆ったりすることを特徴とする介護用車椅子。
【請求項２】
前記スライド板部材は前記座部における前記背もたれ部の下方に押圧可能な状態で露出していることを特徴とする請求項１の介護用車椅子。
【請求項３】
前記肘掛け部は前記フレーム本体の外側に折り畳み可能であることを特徴とする請求項１の介護用車椅子。
【請求項４】
前記肘掛け部の前部上面に天板が掛け渡された状態で設置されているとともにこの天板は前記肘掛け部に固定されている固定部とこの固定部の前端縁に折り畳み自在に連設された補助板部とから構成されることを特徴とする請求項１の介護用車椅子。
【請求項５】
前記フレーム本体は一対のサイドフレームを略平行に配置するとともにこれらを連結部材で連結し、且つ、前記サイドフレームは一本の弾性材を折り曲げることによって車輪支持部と座部支持部とこれらをそれぞれの前端部で連設する連設部とを一体的に形成したことを特徴とする請求項１の介護用車椅子。